(57)【要約】【課題】エアバッグ展開時、アクセサリの脱落を確実に防止しながらヘッドライナ内装材の端末部と周辺部材との間からエアバッグを展開させることを課題とする。【解決手段】エアバッグ８０が展開するときに破断してヘッドライナ内装材１０の端末部１２の貫通穴２０を拡げる切れ込み３０を前記端末部１２における車外側面１０ａに形成し、ヘッドライナ内装材１０の端末部１２と該端末部の周辺に設けられた周辺部材５０とを密接させるとともに、前記貫通穴２０にアクセサリ６０，７０を貫通させて車体９２に固定させながら該貫通穴２０の周辺でアクセサリ６０，７０にヘッドライナ内装材の端末部１２を保持させ、ヘッドライナ内装材１０の車外側に設置された折り畳み状態のエアバッグ８０が展開するときに該エアバッグ８０を前記端末部１２と前記周辺部材５０との間から車室ＳＰ１内に展開させる。【選択図】図９
2007276560.tif 000002
【特許請求の範囲】
【請求項１】
車室の天井部で車体の内側に設けられたヘッドライナ内装材の端末部と該端末部の周辺に設けられた周辺部材とを密接させ、前記ヘッドライナ内装材の車外側に設置された折り畳み状態のエアバッグが展開するときに該エアバッグを前記端末部と前記周辺部材との間から車室内に展開させる自動車用内装構造であって、
前記ヘッドライナ内装材の端末部には、貫通穴が形成され、
該貫通穴を貫通して前記車体に固定されながら該貫通穴の周辺で前記ヘッドライナ内装材の端末部を保持するアクセサリが設けられ、
前記ヘッドライナ内装材の端末部には、前記エアバッグが展開するときに破断して前記貫通穴を拡げる切れ込みが車外側の面に形成されていることを特徴とする自動車用内装構造。
【請求項２】
車室の天井部で車体の内側に設けられ、端末部を該端末部の周辺に設けられた周辺部材に密接させて、車外側に設置された折り畳み状態のエアバッグが展開するときに該エアバッグを前記端末部と前記周辺部材との間から車室内に展開させるように形成されるヘッドライナ内装材であって、
前記端末部には、前記車体に固定されながら該端末部を保持するアクセサリを貫通させる貫通穴が形成されるとともに、前記エアバッグが展開するときに破断して前記貫通穴を拡げる切れ込みが車外側の面に形成されていることを特徴とするヘッドライナ内装材。
【発明の詳細な説明】
【技術分野】
【０００１】
本発明は、ヘッドライナ内装材の車外側に設置された折り畳み状態のエアバッグが展開するときに該エアバッグをヘッドライナ内装材の端末部と周辺部材との間から車室内に展開させる自動車用内装構造、および、該構造に用いられるヘッドライナ内装材に関する。
【背景技術】
【０００２】
自動車には、各種の内装材が設置されている。天井部に配置されるヘッドライナ内装材は、自己支持性のある板状基材を成形してなり、ルーフパネルに対して下方に取り付けられる。ヘッドライナ内装材の乗員室内に面する表面にはファブリック等からなる表皮材が貼り付けられ、意匠性が高められている。ヘッドライナ内装材は、重力によって垂れたり落下したりしないように適宜間隔をおいて複数箇所でルーフパネルに対して係合されて支持され、天井部に設置される。
【０００３】
ヘッドライナ内装材の裏面の一般面に係合具を接着し、該係合具でヘッドライナ内装材をルーフパネルに係合している。また、ヘッドライナ内装材に隣接してピラーパネルに設置されるピラーガーニッシュの縁部やオープニングトリムのリップにヘッドライナ内装材の縁部を載せて支持することにより、ヘッドライナ内装材の端部が垂れ下がらない配置構造にしている。そして、コートフックやアシストグリップやサンバイザやイルミネーションランプなどの各種のアクセサリがヘッドライナ内装材の車室側に設けられている。
【０００４】
カーテンエアバッグは、乗員室から普段は見えないようにヘッドライナ内装材の左右の縁部の背後に沿って設置されるものであり、一定以上の衝撃が感知された場合にインフレータが作動し、カーテンエアバッグが瞬時に膨張して下方に垂下して乗員と左右のドア窓の間でカーテン状に展開され、側方の障害から乗員が保護される。カーテンエアバッグは、下方に膨張する際、ヘッドライナ内装材の端部をピラーガーニッシュやオープニングトリムによる支持から外してヘッドライナ内装材の縁部と車体（ボデー）との間に隙間（出口）を形成し、垂下しながら膨張する。
【０００５】
特許文献１には、同文献の図１に示されるように、ルーフトリム（８）の車外側の面に車体の前後方向に延在する細い溝（９）が設けられ、ルーフトリムの該溝（９）よりも下側に可動部（８ａ）が形成され、この可動部（８ａ）の下縁とピラーガーニッシュ（５）の上縁とが突き合わされていることが記載されている。インフレータ（１６）が作動してガスが保護バッグ（１）内に供給されると、該バッグ（１）が溝（９）よりも下側の可動部（８ａ）に突き当たり、可動部（８ａ）が車室内へ開き出すようになっている。
【特許文献１】特開２０００−７１９２８号公報
【発明の開示】
【発明が解決しようとする課題】
【０００６】
上述した各種アクセサリは、ヘッドライナ内装材の車室側に設けられている。従って、エアバッグ展開時、アクセサリの脱落を確実に防止しながら、ヘッドライナ内装材の端末部の周辺にあるオープニングトリムやピラーガーニッシュ等の周辺部材と該ヘッドライナ内装材の端末部との間からエアバッグを展開させることが望まれている。
【０００７】
本発明は、エアバッグ展開時、アクセサリの脱落を確実に防止しながらヘッドライナ内装材の端末部と周辺部材との間からエアバッグを展開させることを目的とする。
【課題を解決するための手段】
【０００８】
上記目的を達成するため、本発明は、車室の天井部で車体の内側に設けられたヘッドライナ内装材の端末部と該端末部の周辺に設けられた周辺部材とを密接させ、前記ヘッドライナ内装材の車外側に設置された折り畳み状態のエアバッグが展開するときに該エアバッグを前記端末部と前記周辺部材との間から車室内に展開させる自動車用内装構造であって、前記ヘッドライナ内装材の端末部には、貫通穴が形成され、該貫通穴を貫通して前記車体に固定されながら該貫通穴の周辺で前記ヘッドライナ内装材の端末部を保持するアクセサリが設けられ、前記ヘッドライナ内装材の端末部には、前記エアバッグが展開するときに破断して前記貫通穴を拡げる切れ込みが車外側の面に形成されていることを特徴とする。
また、本発明は、車室の天井部で車体の内側に設けられ、端末部を該端末部の周辺に設けられた周辺部材に密接させて、車外側に設置された折り畳み状態のエアバッグが展開するときに該エアバッグを前記端末部と前記周辺部材との間から車室内に展開させるように形成されるヘッドライナ内装材であって、前記端末部には、前記車体に固定されながら該端末部を保持するアクセサリを貫通させる貫通穴が形成されるとともに、前記エアバッグが展開するときに破断して前記貫通穴を拡げる切れ込みが車外側の面に形成されていることを特徴とする。
【０００９】
ヘッドライナ内装材の端末部における車外側の面に形成された切れ込みは、エアバッグが展開するときに破断して端末部の貫通穴を拡げる。すると、ヘッドライナ内装材の端末部を保持するアクセサリの車室側の部位が貫通穴を貫通しやすくなるので、エアバッグが展開するときにアクセサリの脱落が確実に防止される。
【００１０】
上記周辺部材には、ピラーガーニッシュ、ドアオープニングトリム、等が含まれる。
ヘッドライナ内装材の端末部と周辺部材とを密接させることには、前記端末部の縁部と周辺部材の縁部とを突き合わせること、周辺部材に形成された溝に前記端末部の縁部を挿入させること、前記端末部の車室側面に周辺部材の縁部を突き合わせること、前記端末部の車室側面と周辺部材の縁部の裏面とを接触させて掛止させること、等が含まれる。また、前記端末部と周辺部材とを密接させる際、前記端末部に取り付けられたヘッドライナ側クリップと車体に取り付けられた車体側クリップとを嵌合させて両者を密接させてもよいし、クリップを用いずに両者を密接させてもよい。
上記切れ込みには、貫通穴に繋がる切れ込み、貫通穴の周辺に形成された切れ込み、等が考えられ、線状の切れ込み、断面Ｖ字状の溝、等が考えられる。前記切れ込みの形成方法には、ヘッドライナ内装材の裏面側を鋭利な刃物で切断する方法、ヘッドライナ内装材の成形型に切れ込み用の形状を形成しておいてヘッドライナ内装材の成形と同時に形成する方法、等が考えられる。
【発明の効果】
【００１１】
本発明によれば、エアバッグ展開時、コートフックやアシストグリップ等のアクセサリの脱落を確実に防止しながらヘッドライナ内装材の端末部と周辺部材との間からエアバッグを展開させることが可能になる。
【発明を実施するための最良の形態】
【００１２】
以下、下記の順序に従って本発明の実施の形態について説明する。
（１）自動車用内装構造の構成：
（２）自動車用内装構造の作用、効果：
（３）変形例：
【００１３】
（１）自動車用内装構造の構成：
図１は本発明の一実施形態に係る自動車用内装構造ＳＴ１を採用した路上走行自動車１００の内装の要部を示す側面図、図２はエアバッグ８０が展開した様子を示す側面図、図３は本発明の一実施形態に係るヘッドライナ内装材１０を上面から見て示す平面図、図４は本自動車用内装構造ＳＴ１を図３のＡ１−Ａ１の位置から見て示す垂直断面図、図５は切れ込み３０を形成したヘッドライナ内装材の端末部１２を車外側からみて示す図、図６と図７はヘッドライナ内装材の端末部１２の垂直断面を示す図、図８はコートフック７０を組み立てて車体９１に固定する様子を示す分解斜視図、図９はエアバッグ展開時のヘッドライナ内装材の端末部の動作を示す垂直断面図である。
【００１４】
本実施形態の自動車１００は、道路上で使用されるように設計及び装備されたステーションワゴンタイプの乗用自動車としてあるが、セダンタイプ等にも本発明を適用可能である。また、本自動車は、３列のシート９８ａ，ｂ，ｃを備えるモータビークルとしているが、２列シートタイプ等のモータビークルにも本発明を適用可能である。
本自動車には、フロントシート９８ａの前にフロントウインドやインストルメントパネルが設けられるとともに、フロントドア９６ａの前にＡピラー（フロントピラー）、フロントドア９６ａとリヤドア９６ｂとの間にＢピラー（センターピラー）、リヤドア９６ｂの後にＣピラー、その後のはめこみの窓の後にＤピラー、が天井を支えるために設けられている。本自動車の車体を形成する車体パネル９１は、例えば金属製とされ、車室ＳＰ１を囲んでいる。
【００１５】
乗降用ドア９６ａ，ｂの車室ＳＰ１側にはドアトリム内装材が設けられ、車室ＳＰ１の天井部ＳＰ２で車体パネル（車体）９１の内側には、単にヘッドライナとも呼ばれるヘッドライナ内装材１０が設けられている。
図３と図４に示すように、ヘッドライナ内装材１０は、車幅方向Ｄ１において、左右の両端末部１２，１２と、該両端末部１２，１２の車幅方向Ｄ１内側に繋がる本体部１１とを有する構成とされている。この本体部１１は、車幅方向において、僅かに上に凸とされ、曲率が０に近い（曲率半径Ｒ１が大きい）曲線形状とされて、略水平方向に向けて配置されている。各端末部１２，１２は、本体部１１の車幅方向Ｄ１の縁部から車幅方向外側へ向かいながら下方へ曲げられた曲率変化部１２ａと、該曲率変化部における車幅方向の縁部から車幅方向外側へ延出した延出部１２ｂとを有する構成とされている。曲率変化部１２ａは、車幅方向において、車外側が凸とされ、本体部１１の曲率よりも大きい曲率の部分（本体部の曲率半径よりも小さい曲率半径の部分）を有する曲面形状とされている。
また、エアバッグ展開時に端末部１２が車室側へ曲がりやすくさせるため、適宜、本体部１１と端末部１２とを分ける線ＬＩ１，ＬＩ１の位置において裏面１０ａに切れ込みが形成される。当該切れ込みは、表面１０ｄに達しないよう、裏面１０ａにのみ形成される。
【００１６】
ヘッドライナ内装材１０の車室ＳＰ１側の面１０ｄには、アシストグリップ６０、コートフック７０、サンバイザ９７、ルームランプ、等の自動車用アクセサリが設けられている。ヘッドライナ内装材１０には、各アクセサリを貫通させて車体パネルに固定させるための貫通穴２２，２１，１０ｃ，１０ｂが形成されている。本自動車のアシストグリップ６０は、前列と第２列の乗員の乗降用のために４箇所設けられている。これらのアシストグリップ６０の一部を貫通させる貫通穴２２（２０）は、ヘッドライナ内装材の車幅方向Ｄ１の端末部１２に８箇所形成されている。コートフック７０の一部を貫通させる貫通穴２１（２０）は、ヘッドライナ内装材の端末部１２に２箇所形成されている。サンバイザ９７の一部を貫通させる開口１０ｃは、ヘッドライナ内装材の前側の端部に４箇所形成されている。ルームランプの一部を貫通させる開口１０ｂは、ヘッドライナ内装材の本体部１１に２箇所形成されている。
本ヘッドライナ内装材１０は、ボルトおよびナットからなるアシストグリップ固定具でアシストグリップ６０が車体パネル９１に共締めされ、フック固定部９２およびねじ７３でコートフック７０が車体パネル９１に共締めされ、サンバイザ９７やルームランプ等も車体パネル９１に共締めされる。
【００１７】
Ａピラーの車室側にはＡピラーガーニッシュ５１が設けられ、Ｂピラーの車室側ではＢピラーガーニッシュ５２が車体パネルに取り付けられて固定され、ＣピラーとＤピラーの車室側ではＣ・Ｄピラー一体化ガーニッシュ５３が車体パネルに取り付けられて固定され、ドア９６ａ，ｂの開口を縁取る位置で車体パネル９１にドアオープニングトリム５４，５５が設けられている。これらのピラーガーニッシュ５１〜５３やドアオープニングトリム５４，５５は、車室ＳＰ１の側面部ＳＰ３でヘッドライナ内装材の端末部１２の周辺に設けられた側面側内装材（周辺部材）５０とされる。該側面側内装材５０の上縁は、自動車の前後方向Ｄ２に向いて形成されている。側面側内装材５０の上縁と、ヘッドライナ内装材の端末部１２とは、突き合わされて、密接させられている。
【００１８】
図４に示すように、コートフック７０の近傍では、端末部１２の車外側の面１０ａに取り付けられて固定されたヘッドライナ側クリップ４１と、車体パネル９１の車室側の面に取り付けられて固定された車体側クリップ４２とを備える嵌合構造４０が設けられている。なお、同図では、コートフック７０とクリップ４１，４２を側面視し、ドアオープニングトリム５５については上部のみ示すとともに、エアバッグ展開時の端末部１２の位置を二点鎖線で示している。
両クリップ４１，４２は、エアバッグ展開時に嵌合が解除される向き（略上下方向）へ互いに着脱可能に嵌合し、ドアオープニングトリム５５の上部に形成された溝５５ａにヘッドライナ内装材の車幅方向Ｄ１の縁部１３を挿入させて端末部１２とドアオープニングトリム５５とを密接させている。
【００１９】
ヘッドライナ内装材の車幅方向の端末部１２の車外側には、左右にそれぞれ、折り畳み状態のエアバッグ８０が設置されている。本発明の自動車用内装構造は、折り畳み状態のエアバッグ８０が展開するときに該エアバッグを端末部１２と側面側内装材５０との間から車室内に展開させる。
上記エアバッグ８０は、シールドカーテンエアバッグとも呼ばれ、自動車１００の車幅方向Ｄ１両側縁部で略前後方向Ｄ２に向けて配置されている。エアバッグ８０は、不織布など所定の気密性を有する布で偏平かつ内部を複数のセルに仕切った袋状に形成され、空気を抜いた状態で折り畳まれてヘッドライナ内装材１０と車体パネルとの間で該車体パネルに取り付けられて固定される。側突センサにより車両の側面衝突が検知されると電子制御ユニットの制御によりインフレータが作動し、該インフレータに蓄えられたガスがエアバッグ８０内の各セルに流れ込む。すると、エアバッグ８０は素早く膨張し、ヘッドライナ内装材の端末部１２をはじいて、ヘッドライナ側クリップ４１を車体側クリップ４２から外して、側面側内装材５０の上縁から端末部１２を外す。これにより、端末部１２と側面側内装材５０との間に隙間ＣＬ１が形成され、図２に示すように隙間ＣＬ１からエアバッグ８０が下方へ垂下して車室内に展開して、乗員を側方の衝撃から保護する。
前後方向に長尺のエアバッグ８０は、ヘッドライナ内装材の裏面１０ａの両側に沿って長手方向を前後方向Ｄ２に向けて設置され、ヘッドライナ内装材の縁部１３より４０〜６０mm程度内側に位置する。エアバッグ８０は、アクセサリ６０，７０の周囲ではアクセサリ６０，７０よりも車幅方向Ｄ１外側に配置され、下方へ展開するときにアクセサリ６０，７０に接触しないようにされている。
【００２０】
ヘッドライナ内装材における端末部１２には、車体パネル９１に固定されながら端末部１２を保持するアクセサリ６０，７０を貫通させる貫通穴２０が形成されている。また、端末部１２には、エアバッグ８０が展開するときに破断して貫通穴２０を拡げる切れ込み３０が車外側の面１０ａに形成されている。
図５に示すように、貫通穴２０は、車幅方向Ｄ１に向けた辺と前後方向Ｄ２に向けた辺とからなる長方形の角を丸くした形状とされ、車室側から車外側へ貫通している。本実施形態の切れ込み３０は、貫通穴２０の車幅方向外側の縁部から車幅方向外側に向けて、貫通穴２０に繋がるように３本、端末部１２の裏面に形成されている。
【００２１】
図６と図７に示すように、ヘッドライナ内装材１０は、基材１４の車室側の面に表皮材１６が積層されて一体化されている。本実施形態の基材１４は、車外側から車室側へ、不織布層１４ａ、通気遮断層１４ｂ、車外側補強層１４ｃ、基層１４ｄ、車室側補強層１４ｅ、が順に積層されて形成されている。基層１４ｄを補強層１４ｃ，ｅで挟んだ構成が基材１４の基本的な構成となる。
基層１４ｄは、各層１４ａ〜ｅの中で最も厚く形成される。この基層１４ｄは、例えば、単位面積当たりの重量を１００〜５００ｇ／ｍ2程度として、厚み３．０〜１０．０mm程度となるように形成される。
【００２２】
基層１４ｄには、熱可塑性樹脂等の樹脂を発泡させて成形したもの、発泡させた樹脂にバインダを含浸ないし塗布して成形したもの、繊維を集合させて成形したもの、等を用いることができる。発泡させた樹脂にバインダを含浸ないし塗布して成形したものには、例えば、スラブウレタン（発泡ウレタン）にバインダを含浸させて固化または硬化させた公知の硬質ウレタンフォームを用いることができる。前記バインダには、例えば、イソシアネート樹脂等の熱硬化性樹脂を用いることができる。基層１４ｄを硬質ウレタンフォームで形成する場合、この硬質ウレタンフォームは、例えば、１００〜５００ｇ／ｍ2程度となるスラブウレタンに、１０〜５０ｇ／ｍ2程度のイソシアネートバインダを含浸ないし塗布して形成した基材を、熱プレス成形することにより形成される。
また、繊維を集合させて基層を形成する場合、繊維には、熱可塑性樹脂の繊維、熱可塑性樹脂に充てん材等の添加材を添加した繊維、その他の樹脂繊維、無機繊維、等を用いることができ、ポリエステル繊維、ポリアミド繊維、アクリル繊維、ポリプロピレン繊維、ポリエチレン繊維、レーヨン繊維、木質繊維、ポリエチレンテレフタレート繊維、さらに充てん材等の添加材を添加した材質の繊維、カーボン繊維、ガラス繊維、等を用いることができる。
【００２３】
補強層１４ｃ，ｅは、基層１４ｄの車外側の面と車室側の面とに積層され、基層１４ｄを補強して基材１４の曲げ強度を確保する。これらの補強層１４ｃ，ｅは、例えば、単位面積当たりの重量を５０〜５００ｇ／ｍ2程度として、厚み０．１〜２．０mmとなるようにプレス成形等の熱成形により形成される。同補強層には、無機繊維を集合させてバインダで固化または硬化させたもの、無機繊維と熱可塑性繊維とを集合させて熱成形したもの、等を用いることができる。無機繊維には、ガラス繊維、カーボン繊維、等を用いることができる。補強層１４ｃ，ｅには、例えば、単位面積重量が１００ｇ／ｍ2程度のガラスマットに、イソシアネートバインダを１０〜２０ｇ／ｍ2程度含浸させたものを用いることができる。この場合、イソシアネートバインダは、基材の成形時に、補強層１４ｃ，ｅと基層１４ｄとを接着する作用もなす。
【００２４】
通気遮断層１４ｂは、車外側補強層１４ｃの車外側の面に積層され、車室側と車外側との通気を遮断する。この通気遮断層１４ｂは、例えば、厚み１０〜３０μｍの薄い樹脂フィルムを用いることができ、基材の厚さ方向の通気を止めることで、表皮材の表面に埃等が吸い寄せられることを防止する。基材の熱成形時に破れないようにする観点からは、通気遮断層１４ｂに比較的高融点のポリアミド系の樹脂フィルムを用いることが適する。
不織布層１４ａは、通気遮断層１４ｂの車外側の面に積層され、こすれ音の発生を防止する。この不織布層１４ａは、例えば、単位面積当たりの重量を１０〜３０ｇ／ｍ2程度としてなる。
【００２５】
車室側面１０ｄを形成する表皮材１６は、車室側補強層１４ｅの車室側の面に積層される表層であり、内装材としての意匠性を付与し、また触感の向上の役割を担う。この表皮材は、例えば、厚み０．２〜８．０mm程度、目付１００〜２００ｇ／ｍ2程度に形成される。同表皮材には、不織布、織物、編物、等を用いることができる。
【００２６】
ヘッドライナ内装材１０は、例えば、以下の製法により車室の天井部ＳＰ２の形状に合わせて形成される。
まず、上述した各層１４ａ〜ｅ，１６を構成する材料を順に重ねて加熱して熱可塑性のバインダを溶融させる。次に、ヘッドライナ内装材の形状に合わせた型面を有するプレス成形型の中へ、加熱後の重ねた材料を持ち込み、型締めしてプレス成形する。また、成形された材料の周囲を自動車の天井部の輪郭に沿う形にトリミングするとともに、成形された材料を打ち抜いて貫通穴１０ｂ，１０ｃ，２１，２２等を形成する。
以上により、ヘッドライナ内装材１０は、車体パネル等に沿う形状とされ、アクセサリ６０，７０等で保持される形状に加工される。
【００２７】
ヘッドライナ内装材の端末部を支持する側面側内装材５０については、例えば、ポリプロピレン、ＡＢＳ樹脂などの各種熱可塑性樹脂、各種熱硬化性樹脂、等の樹脂をプレス成形や射出成形等で所定の形状に成形して基材を形成し、該基材の車室側面に適宜表皮材を貼付することにより、形成することができる。
【００２８】
図８に示すように、コートフック７０は、衣服等を引っかけるフック７１ａを有する本体部７１と、この本体部の車室側を覆うカバー部７２と、本体部７１をフック固定部９２に固定させる金属製ねじ７３とを備えた構成とされている。本体部７１とカバー部７２は、例えば、熱可塑性樹脂等の樹脂で成形されて形成される。本体部７１は、貫通穴２１の大きさよりも小さくされ、貫通穴２１を通り抜け可能とされている。また、本体部７１の車外側の面には、ねじ７３を通す固定用の穴が形成されている。カバー部７２は、車室側の部位７２ａが貫通穴２１の大きさよりも大きくされ、当該部位７２ａにフック７１ａを貫通させる開口７２ｄが形成されている。車室側部位７２ａから車外方向へ向けて、保持部７２ｂ，７２ｂと係合部７２ｃ，７２ｃが延出している。係合部７２ｃ，７２ｃは、本体部７１の上部と下部とに形成された係合部７１ｂ，７１ｂと係合可能とされている。ここで、各部７２ｂ，７２ｂ，７２ｃ，７２ｃの間へは本体部７１を挿入可能であるとともに、各部７２ｂ，７２ｂ，７２ｃ，７２ｃ自体は、貫通穴２１の大きさと同じか該大きさよりも小さくされ、貫通穴２１を通り抜け可能とされている。
また、フック固定部９２は、例えば金属製とされ、本体パネル９１の車室側の面に固定され、ねじ７３を螺合させて固定させるねじ穴９２ａを車室側の端部に有している。
【００２９】
以上の構成により、各部７２ｂ，７２ｂ，７２ｃ，７２ｃの間へ本体部７１を車外側から車室方向へ挿入すると、本体部の係合部７１ｂ，７１ｂとカバー部の係合部７２ｃ，７２ｃとが係合し、本体部７１とカバー部７２とが一体化する。このとき、係合部７１ｂと係合部７２ｃとを超音波等により融着または溶着させてもよい。そして、本体部７１を車室側から車外方向へ貫通穴２１に貫通させ、ねじ７３を用いて本体部７１をフック固定部９２に取り付けて固定すると、コートフック７０がヘッドライナ内装材の表面１０ｄに取り付けられる。その結果、コートフック７０は、車室側部位７２ａを車室ＳＰ１に残した状態とされ、貫通穴２１を貫通して車体９１に固定されながら車室側部位７２ａで貫通穴２１の周辺の端末部１２を引っ掛けて、貫通穴２１の周辺で端末部１２を保持する。
詳細な説明を省略したが、アシストグリップ６０も、車室側部位を車室に残した状態とされ、貫通穴２２を貫通して車体９１に固定されながら貫通穴２２の周辺で端末部１２を保持する。
【００３０】
上述したアクセサリ６０，７０は、ヘッドライナ内装材の端末部１２の車室側面に設けられるため、エアバッグ８０が展開するときの脱落を確実に防止することが望まれる。本実施形態では、ヘッドライナ内装材の端末部１２における車外側面１０ａに、エアバッグ展開時に破断して貫通穴２０を拡げる切れ込み３０を形成している。
図７に示す断面図のように、各切れ込み３０は、車外側面１０ａから、不織布層１４ａ、通気遮断層１４ｂ、車外側補強層１４ｃ、および、基層１４ｄの一部までの深さとされている。これにより、切れ込み３０が車室から見えず汚れも付着しにくいのでヘッドライナ内装材の外観が良好に保たれる一方、エアバッグ展開時に切れ込み３０が破断されてアクセサリの脱落が確実に防止される。また、この観点から、切れ込みの深さは、基層１４ｄの途中までの深さ以外としてもよく、車外側補強層１４ｃや車室側補強層１４ｅの途中までの深さ、各層１４ｃ，１４ｄ，１４ｅ，１６の間までの深さ、等でもよい。
【００３１】
図６に示す端面図のように、各切れ込み３０は、鋭利な刃物ＣＵ１で基材１４の厚み方向の途中まで切断して形成され、端末部１２の裏面１０ａの一般面から車室側へ断面線状ないし狭い断面Ｖ字状（例えば挟角θが０°≦θ≦１５°）に切断された形状に形成されている。
なお、図１０に示す端面図のように、断面Ｖ字状に形成する場合の切れ込み３１の挟角θは、４５°≦θ≦９０°程度と大きくされてもよい。
また、切れ込みの形状には、開口部を裏面１０ａ側にした断面コ字状等、上述した形状以外も考えられる。
【００３２】
切れ込み３０の数は、複数でも、単数でもよい。なお、切れ込みどうしを繋ぐ切れ込みが端末部１２の裏面１０ａに形成されていてもよい。
ヘッドライナ内装材の裏面１０ａを見たときの切れ込み３０の形状は、直線形状としているが、折れ線形状、曲線形状、等でもよい。
切れ込み３０の位置は、貫通穴２０に繋がる車幅方向外側の位置としているが、貫通穴２０に繋がらない貫通穴２０の近傍の位置、貫通穴２０から車幅方向内側の位置、貫通穴２０から前後方向の位置、等でもよい。
切れ込み３０の向きは、車幅方向Ｄ１としているが、前後方向Ｄ２や、両方向Ｄ１，Ｄ２以外の方向でもよい。
【００３３】
図５に示すように、切れ込み３０の長さＬ１は、該切れ込みの向き（車幅方向Ｄ１）における貫通穴２０の大きさＬ２より小さくしてあるが、図示の長さ以外でもよい。また、図８に示すように切れ込みの向き（車幅方向Ｄ１）におけるアクセサリ７０の車室側部位７２ａの長さをＬ３として、Ｌ１≧Ｌ３−Ｌ２としてもよい。各切れ込み３０の長さは、同一の長さとしているが、異なる長さでもよい。
【００３４】
切れ込み３０は、例えば、ヘッドライナ内装材の貫通穴２０が形成された後、ヘッドライナ内装材の裏面１０ａで切れ込み３０の位置に合わせて鋭利な刃物ＣＵ１を裏面１０ａに沿ってスライドさせて切断することにより、形成される。刃物をスライドさせる際には、スライド位置を記憶可能な工作機械に刃物のスライド位置を記憶させて刃物をスライドさせてもよいし、刃物を手で持ってスライドさせてもよい。
なお、切れ込みは、鋭利な刃物をヘッドライナ内装材の裏面に押し当てて切断することにより形成されてもよい。また、アクセサリ貫通用の貫通穴を打ち抜く型に切れ込み用の形状を形成しておき、ヘッドライナ内装材用に成形された材料に貫通穴を打ち抜くのと同時に切断することにより切れ込みを形成してもよい。さらに、ヘッドライナ内装材のプレス成形型に切れ込み用の形状を形成しておき、ヘッドライナ内装材のプレス成形と同時に切れ込みを形成してもよい。
【００３５】
（２）自動車用内装構造の作用、効果：
本自動車用内装構造ＳＴ１を形成するには、以下のようにすればよい。
まず、ヘッドライナ内装材１０、側面側内装材５０、アクセサリ６０，７０、等を所定の形状に形成するとともに、折り畳んだ状態のエアバッグ８０を左右それぞれ形成する。次に、エアバッグ膨張時にアクセサリ６０，７０よりも車幅方向外側でヘッドライナ内装材の端末部１２に突き当たる位置に左右のエアバッグ８０をそれぞれ車体パネル９１に取り付けて固定し、ヘッドライナ内装材の端末部１２と側面側内装材５０の上縁とを密接させてヘッドライナ内装材１０と側面側内装材５０とを車体パネルに取り付ける。さらに、貫通穴２０を通してアクセサリ６０，７０を車体パネル９１に取り付けて固定し、サンバイザ９７等も車体パネル９１に取り付けて固定する。これにより、自動車用内装構造ＳＴ１が形成される。
【００３６】
以下、図４と図９を参照して、本構造ＳＴ１の作用、効果を説明する。
エアバッグが膨張し始めると、まず、エアバッグ８０はアクセサリ６０，７０よりも車幅方向外側の位置でヘッドライナ内装材の端末部１２にぶつかる。エアバッグ８０に突き当てられた圧力により、車外側クリップ４２からヘッドライナ側クリップ４１が外れ、側面側内装材５０の上部に密接する位置ＬＯ１にあった端末部１２は車室ＳＰ１側へ曲げられ、端末部１２と側面側内装材５０の上部との間にエアバッグ８０を車室側へ展開させるための隙間ＣＬ１が生じる。ここで、端末部１２を保持するコートフックの車室側部位７２ａは貫通穴２１の大きさよりも大きくされているが、端末部１２の裏面１０ａに切れ込み３０が形成されているため、端末部１２が車室側に曲げられるときに切れ込み３０が破断して貫通穴２１を拡げる。すると、端末部１２からコートフック７０へ大きな力が加わることなく、車室側部位７２ａが貫通穴２１を貫通しやすくなり、例えば端末部１２が図９に示す位置ＬＯ２まで曲げられる。従って、エアバッグ８０は、端末部１２とドアオープニングトリム５５（側面側内装材５０）との間の隙間ＣＬ１から車室内へ円滑に膨張し、下方へ垂下して、車室内でカーテン状に展開する。
アシストグリップ６０の近傍でも、同様の作用により切れ込み３０が破断して貫通穴２２が拡がり、端末部１２からアシストグリップ６０へ大きな力が加わることなく、エアバッグ８０が車室内に展開する。
【００３７】
貫通穴を拡げる切れ込みがヘッドライナ内装材の端末部に形成されていないとエアバッグ展開時に該端末部からアクセサリへ力が加わりやすいことになるが、切れ込みが破断して貫通穴が拡がるので、アクセサリの車室側部位が貫通穴を通り抜けやすくなる。従って、エアバッグが展開するとき、コートフックやアシストグリップ等のアクセサリの脱落を確実に防止しながらヘッドライナ内装材の端末部と周辺部材との間からエアバッグを展開させることが可能になる。また、ヘッドライナ内装材の車外側面のみ切り込みが形成されているので、切れ込みが車室から見えない。従って、ヘッドライナ内装材の外観を良好に保ちながら、アクセサリの脱落を確実に防止しつつエアバッグを展開させることが可能になる。
【００３８】
（３）変形例：
ヘッドライナ内装材１０は、不織布層１４ａ、通気遮断層１４ｂ、車外側補強層１４ｃ、車室側補強層１４ｅ、表皮材１６の一部または全部が設けられていない基材でもよい。このような場合でも、貫通穴を拡げる切れ込みが車外側の面にのみ形成されていれば、ヘッドライナ内装材の外観を良好に保ちながら、アクセサリの脱落を確実に防止する効果が得られる。
【００３９】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００４０】
【図１】自動車用内装構造を採用した自動車の内装の要部を示す側面図。
【図２】エアバッグが展開した様子を示す側面図。
【図３】ヘッドライナ内装材を上面から見て示す平面図。
【図４】自動車用内装構造を図３のＡ１−Ａ１の位置から見て示す垂直断面図。
【図５】切れ込みを形成したヘッドライナ内装材の端末部を車外側からみて示す図。
【図６】ヘッドライナ内装材の端末部を図５のＡ２−Ａ２の位置から見て示す垂直端面図。
【図７】ヘッドライナ内装材の端末部を図５のＡ３−Ａ３の位置から見て示す垂直断面図。
【図８】コートフックを組み立てて車体に固定する様子を示す分解斜視図。
【図９】エアバッグ展開時のヘッドライナ内装材の端末部の動作を示す垂直断面図。
【図１０】変形例のヘッドライナ内装材の端末部を図５のＡ２−Ａ２の位置から見て示す垂直端面図。
【符号の説明】
【００４１】
１０…ヘッドライナ内装材、１０ａ…裏面（車外側面）、１０ｂ，１０ｃ…開口、
１０ｄ…表面（車室側面）、
１１…本体部、
１２…車幅方向の端末部、
１３…車幅方向の縁部、
１４…基材、
１４ａ…不織布層、１４ｂ…通気遮断層、１４ｃ…車外側補強層、
１４ｄ…基層、１４ｅ…車室側補強層、
１６…表皮材、
２０，２１，２２…貫通穴、
３０，３１…切れ込み、
４０…嵌合構造、４１…ヘッドライナ側クリップ、４２…車体側クリップ、
５０…側面側内装材（周囲部材）、
５１…Ａピラーガーニッシュ、５２…Ｂピラーガーニッシュ、
５３…Ｃ・Ｄピラー一体化ガーニッシュ、
５４，５５…ドアオープニングトリム、５５ａ…溝、
６０…アシストグリップ（アクセサリ）、
７０…コートフック（アクセサリ）、
７１…本体部、７２…カバー部、７３…ねじ、
８０…エアバッグ、
９１…車体パネル（車体）、９２…フック固定部、
１００…自動車、
ＣＵ１…刃物、
ＣＬ１…隙間、
Ｄ１…車幅方向、Ｄ２…前後方向、
ＬＩ１…線、
ＬＯ１，ＬＯ２…端末部の位置、
ＳＰ１…車室、ＳＰ２…車室の天井部、ＳＰ３…車室の側面部、
ＳＴ１…自動車用内装構造、
【図１】
2007276560.tif 000003
【図２】
2007276560.tif 000004
【図３】
2007276560.tif 000005
【図４】
2007276560.tif 000006
【図５】
2007276560.tif 000007
【図６】
2007276560.tif 000008
【図７】
2007276560.tif 000009
【図８】
2007276560.tif 000010
【図９】
2007276560.tif 000011
【図１０】
2007276560.tif 000012